(57)【特許請求の範囲】
【請求項１】
本体（２）の内の下方に位置して熱源（４）を設け、また上記熱源（４）の上方に位置した本体（２）の載置穴（２ｂ）には、同載置穴（２ｂ）を塞ぐようにして芳香皿（３）を載置するようにした香炉であって、上記芳香皿（３）には、同皿（３）を載置穴（２ｂ）に載置した際に下方の熱源（４）の近傍周囲を覆うようにした遮蔽部（３ｃ）と、同遮蔽部（３ｃ）の一部を構成する芳香部（３ｂ）の底面（３ｉ）の内面（３ｈ）又は外面（３ｇ）の一方或いは両面（３ｉ）、（３ｇ）に位置して伝熱板（１０）を設け、さらに上記伝熱板（１０）が熱伝導の良い金属からなり而も伝熱板（１０）の間には蓄熱板（１１）を介在させたことを特徴とする香炉。
【発明の詳細な説明】
【０００１】
【発明の属する技術分野】
本願発明は、香木や精油（エッセンシャルオイル）、茶葉などの芳香用材料を熱源、例えば電球の光（熱）、ロウソク、ランプ等によって加熱することで芳香を発するようにした香炉の改良に関するものである。
【０００２】
【従来の技術】
従来、香木や精油（エッセンシャルオイル）、茶葉などの芳香用材料を電球の光（熱）、ロウソク、ランプ等の熱源によって加熱することで芳香を発するようにした香炉を本件出願人は既に提案している（特願２０００−３４９０４１号）。
【０００３】
上記香炉は、セラミックス或いは磁器等の不燃性部材から作られた逆カップ形状の本体と、該本体の上面の載置穴に載置したセラミックス或いは金属等から作られた芳香皿と、上記本体をその上面に載置するようにしたセラミックス或いは磁器から作られた受け皿と、受け皿の上面側略中央に位置して設けられた電球からなる熱源とから構成される。上記本体に受け皿上に載置される際に上記熱源の近傍周囲を囲む筒部が一体に設け、熱源の外周を覆うようになっている。
【０００４】
そして、コンセントから電源コード等を介して熱源に電力が供給されると、熱源（電球）が点灯して芳香皿に載せられた芳香用材料が芳香皿を介して熱源により下方から加熱され、芳香用材料が蒸発あるいは焼かれて芳香が発するようになっている。
【０００５】
【発明が解決しようとする課題】
しかしながら、上記従来の香炉は熱源から放射された熱が熱源の近傍周囲に設けられた筒部によって吸収され、該吸収された熱が同筒部を伝わって、筒部と一体に形成された本体に伝わり、本体自体が熱くなると言う問題があった。
【０００６】
また、本体と筒部との間の空間に熱源並びに筒部によって熱せられた空気が溜まり、排出しにくくなっているため、同空気によって本体自身が加熱されて熱くなると言う問題があった。
【０００７】
また、上記したように熱源から放射される熱が筒部を加熱し、その熱が本体に伝わって同本体を加熱されるため芳香皿および芳香用材料に熱が加えにくくなり、芳香用材料から充分な芳香を発生させることができないばかりか、芳香を発生させるために熱源に多くの電力が必要となるという問題があった。
【０００８】
また、上記従来の香炉は熱源から放射された熱によって芳香皿を加熱する際に、熱源に近い芳香皿の中央部分が熱く、熱源から遠い同皿の周縁部分はあまり加熱されないため、芳香用材料全体に熱が充分に加わらず、芳香を効率良く発生させることができないと言う問題があった。
【０００９】
また、上記従来の香炉は、芳香用材料から芳香を発生させる（引き出す）ために、常に熱源によって芳香皿を加熱し続けなければならず、電力消費が多いばかりか、芳香皿の温度を一定に保ちにくいと言う問題があった。
【００１０】
【問題を解決するための手段】
本体（２）の内の下方に位置して熱源（４）を設け、また上記熱源（４）の上方に位置した本体（２）の載置穴（２ｂ）には、同載置穴（２ｂ）を塞ぐようにして芳香皿（３）を載置するようにした香炉であって、上記芳香皿（３）には、同皿（３）を載置穴（２ｂ）に載置した際に下方の熱源（４）の近傍周囲を覆うようにした遮蔽部（３ｃ）と、同遮蔽部（３ｃ）の一部を構成する芳香部（３ｂ）の底面（３ｉ）の内面（３ｈ）又は外面（３ｇ）の一方或いは両面（３ｈ）、（３ｇ）に位置して伝熱板（１０）を設け、さらに上記伝熱板（１０）が熱伝導の良い金属からなり而も伝熱板（１０）の間には蓄熱板（１１）を介在させたことを特徴とする香炉を提供する。
【００１３】
【発明の実施の形態】
以下、本願発明の実施の形態について図１乃至図９に基づき説明する。
１は本願発明の実施例の香炉であり、熱源４を覆うようにして受け皿５上に載置した本体２と、該本体２の上面２ａに設けられた載置穴２ｂに載置した芳香皿３と、該芳香皿３を加熱する電球からなる熱源４と、該熱源４が取り付けられた受け皿５と、熱源４に電力を供給するための電源コード６及びプラグ７と、熱源４への電力供給を制御する制御部８とから構成されている。
【００１４】
上記本体２はセラミックスや合成樹脂等の耐熱性を有する材料によって逆カップ状に形成されており、その上面２ａ側の略中央には芳香皿３を載置するための載置穴２ｂが設けられている。また下面２ｅ側は本体２を受け皿５に載置する場合に熱源４を挿通する開口部２ｅが設けられている。また、上記本体２は熱源４が本体２内の空間２ｄに位置するように受け皿５に載置される。さらに、上記本体２の側周面２ｆの下方に位置して熱源４から放射される光（熱）を本体２外へ散乱させると同時に空気の取り入れを目的とする複数の小穴からなる複数の空気穴２ｇが設けられている。なお、２ｈは後述の芳香皿３を上記載置穴２ｂに没入させる際にガイドとなるガイド部である。
【００１５】
３は芳香用材料９を載せ、同材料９を加熱するための芳香皿であり、本体２と同様にセラミックスや合成樹脂等の耐熱性材料により形成される。該芳香皿３は掛止部３ａ、芳香部３ｂ、遮蔽部３ｃから構成され、上記掛止部３ａは鍔３ｄと該鍔３ｄの下面３ｅに適宜間隔（例えば１２０度の間隔）を開けて設けられた突起３ｆとからなり、芳香皿３を本体２の載置穴２ｂに没入させて取り付けた際に掛止部３ａが本体２の載置穴２ｂの上面２ａに掛止めされて載置されると共に、突起３ｆによって芳香皿３と本体２の上面２ａとの間に隙間ｇを形成し、上記本体２の側周面２ｆの下方に設けられた空気穴２ｇから取り込まれた空気が熱源４によって熱せられ上昇し、上記芳香皿３と本体２との隙間ｇより排出されると共に、後述の遮蔽部３ｃ内に溜まって芳香部３ｂを加熱する。
【００１６】
この時、排出された空気により芳香用材料９から発する芳香が部屋中に拡散されると共に、上記上昇気流によって熱源４により本体２内で熱せられた空気が芳香皿３に集中することで、芳香皿３を加熱する。
【００１７】
３ｂは芳香用材料９を入れる芳香部であり、芳香部３ｂの底面３ｉより下方に位置する熱源４からの熱によって芳香部３ｂに入れられた（載せられた）芳香用材料９が加熱され、芳香用材料９より芳香が発せられる。
【００１８】
３ｃは一方を芳香部３ｂの底面３ｉにより閉鎖された略筒状の遮蔽部であり、芳香皿３が本体２の載置穴２ｂに没入させて取り付けた際に熱源４の一部（上部）が遮蔽部３ｃ内に位置するようになっている。該遮蔽部３ｃ内では熱源４により芳香部３ｂの底面３ｉを直接加熱すると共に、同熱源４により熱せられた空気が遮蔽部３ｃ内に留まり、該熱せられた空気によっても芳香部３ｂの底面３ｉが加熱される。つまり、芳香皿３の遮蔽部３ｃによって熱源４からの熱と熱源４によって加熱された空気による熱は遮蔽部３ｃによって本体２まで伝わらず、本体２自身の温度が上がらないようになっている。更に、芳香皿３は熱源４の直接加熱と熱せられた空気による加熱によって効率良く加熱されるようになっているため、芳香皿３へ加える熱を減らしても（熱源４自体の消費電力を減らしても）芳香用材料９を加熱することができ芳香を発生させることができる。
【００１９】
なお、上記芳香皿３には高い温度で芳香を発する緑茶や紅茶等の茶葉や香木等に使用する高温用の深皿３と低い温度で芳香を発するハーブやエッセンシャルオイル等の低温用の浅皿３１がある。浅皿３１は図４に示すように深皿３と同じ構成であり、符号に添え字の１を付してあらわす。
【００２０】
１０は芳香部３ｂ内に入れられた芳香用材料９を均一に加熱できるようにする伝熱板で、上記芳香部３ｂの底面３ｉの内面３ｈに無機接着剤により接着されている。上記伝熱板１０は芳香皿３を介して芳香部３ｂの下方に位置する熱源４によって加熱される。このとき、熱源４に近い底面３ｉの中心部分は温度が上がり、熱源４から離れた周縁部分は温度が上がりにくいが、上記伝熱板１０は加えられた熱が同板１０の全体にすぐに伝わり、伝熱板１０の全体が熱くなる。該加熱された伝熱板１０は芳香部３ｂに入れられた芳香用材料９を均一に加熱して、芳香用材料９から芳香を発するようになっている。上記伝熱板１０には熱伝導率のよい金属（例えば鉄や銅、アルミニュウム等）が使用できる。
【００２１】
また、図７に示すように蓄熱板１１（例えば、セラミックスや天然石など）を囲むように上記伝熱板１０によって挟んだ伝熱板１０を芳香部３ｂの底面３ｉの内面３ｈに無機接着剤によって接着した芳香皿３を使用することによって、外部の伝熱板１０を熱が伝わり、同板１０全体が加熱され、芳香部３ｂに入れられた芳香用材料９に効率良く、均一に加熱することができる。さらに、蓄熱板１１に熱が蓄熱されるため、伝熱板１０を常に一定の温度を保て、さらに、熱源を消しても芳香用材料を加熱し続けることができ、電力消費を少なくできる。
【００２２】
また、上記伝熱板１０は上記したような芳香部３ｂの底面３ｉの内面３ｈに伝熱板１０を設けるだけでなく、芳香部３ｂの底面３ｉの外面３ｇ側あるいは芳香部３ｂの内面３ｈ並びに外面３ｇの両方に設けることができる。
【００２３】
４は電球からなる熱源であり、例えばクリプトン電球、白熱電球、ハロゲン電球等を使用することができる。６、７はコンセント（図示されない）から電球に電力を供給する電源コード及びプラグ、８は電源コードの途中に設けられたスイッチ兼用の制御部であり、該制御部８によって熱源４への電力供給を制御する（電球の明るさ（温度）を調節する）ことができるようになっている。なお、上記熱源４には芳香部３ｂを加熱できるものであればなんでも良く、上記した電球だけでなく、ローソクやランプ等を使用することができる。
【００２４】
５は本体２と同様にセラミックスや合成樹脂等の耐熱性を有する材料によって皿状に形成された受け皿であり、該受け皿５はその上面５ａ側の略中央に上記熱源（電球）４が取りつけられている。また、該熱源４を覆うようにして被せる本体２は、該熱源４が本体２の上面２ａの載置穴２ｂに載置する芳香皿３の底面３ｉに形成された遮蔽部３ｃの下方に位置するように受け皿５の上面５ａに載置される。この時、本体２の開口部２ｅが受け皿５の上面５ａにより塞がれる。
【００２５】
次に、以上の構成からなる香炉１についてその使用方法等について説明する。まず、本体２を熱源（電球）４を覆いかつ同熱源４の位置が本体２の載置穴２ｂの下方にくるように受け皿５へ被せる。上記本体２を被せた後、芳香皿３を、同皿３の底面３ｉに設けられた遮蔽部３ｃ内に熱源（電球）４が位置するようにして本体２の上面２ａの載置穴２ｂに載置する。
【００２６】
上記本体２に載置した芳香皿３の芳香部３ｂに芳香用材料９を載せる。該芳香用材料９には、茶葉（緑茶や紅茶等）や香木、ハーブ、エッセンシャルオイル等が使用され、茶葉（緑茶や紅茶等）や香木等の高い温度で芳香を発する材料を使用する場合には芳香部３ｃを熱源４に近づけた深皿の芳香皿３を使用し、ハーブやエッセンシャルオイル等の低い温度で芳香を発する材料を使用する場合には芳香部３ｃを熱源４から遠ざけた浅皿の芳香皿３１を使用する。
【００２７】
香炉１が上記した芳香用材料９を芳香皿３に載せた状態で、スイッチ兼用の制御部８のスイッチを入れると、コンセント（図示しない）からプラグ７及び電源コード６を介して熱源４（電球）に電力が供給され、熱源４である電球が点灯する。電球の点灯により芳香皿３の芳香部３ｂが底面３ｉ側から加熱されると、底面３ｉの内面３ｈに設けられた伝熱板１０が加熱される。伝熱板１０は加熱によって熱が同板１０全体に伝わり、全体が熱くなる。上記熱くなった伝熱板１０によって、芳香用材料９に熱が均一に加わり芳香用材料９から芳香が発せられる。なお、制御部８によって香炉１の熱源４（電球）に供給される電力を調整することによって芳香皿３の芳香部３ｂ並びに伝熱板１０に加えられる熱を変えることができる。例えば芳香が強すぎる場合には熱源４への電力供給を少なくし電球の明るさを下げ、発する熱を抑えて芳香部３ｂ並びに伝熱板１０への加熱を抑制する。逆に芳香が弱い場合には熱源４への電力供給を多くし電球の明るさを上げ、発する熱を増やして芳香部３ｂ並びに伝熱板１０を加熱する。
【００２８】
上記香炉１の熱源４に電力が供給されて芳香が発せられている状態は、熱源４は上記芳香皿３の遮蔽部３ｃ内に位置し、該熱源４から直接放射される光（熱）と、本体２の下方に設けた空気穴２ｇから取り入れた空気が熱源４によって加熱されて上記遮蔽部３ｃ内に溜まった空気によって芳香部３ｂが加熱される。また、遮蔽部３ｃの外周部分で加熱された空気は上昇気流となって、本体２内を上昇し、芳香皿３と本体２の載置穴２ｂとの間で形成された隙間ｇから外部に逃げ、芳香部３ｂに入れられた芳香用材料９から発する芳香を拡散するようになっている。
【００２９】
図９に示す香炉１１は別の実施例であり、本体２の載置穴２ｂに設けられたガイド部２ｈが無いものであり、熱源４で加熱された空気が本体２内でガイド部２ｈに邪魔されずに芳香皿３と本体２の載置穴２ｂとの間に形成された隙間ｇか本体２外に排出できるものである。なお、その他の部分は上記第１の実施例と同様のため説明は省略する。
【００３０】
【発明の効果】
本願発明の香炉は芳香皿の下面に筒状の遮蔽部を設け、香炉本体に設けられた載置穴に載置した際に熱源の一部（上部側）が遮蔽部内に位置していることで、熱源から放射される熱が遮蔽部に遮られて本体に熱が伝わらないようになっているため、本体自身の温度が上がらない。
【００３１】
また、遮蔽部内に位置する熱源によって直接芳香皿の芳香部を加熱することはもちろんのこと、熱源によって加熱された空気が遮蔽部内に溜まり、同空気によっても芳香部を加熱するようになっているため、効率良く芳香部に載せた芳香用材料を加熱することができるため、芳香皿へ加える熱を減らしても（熱源自体の消費電力を減らしても）芳香用材料を充分加熱することができ芳香を発生させることができる。
【００３２】
また、本体の側周面の下方に位置する空気の取り入れ用の空気穴を設けると共に、芳香皿に設けられた鍔の下面には、芳香皿を本体の上面の載置穴に載置した際に芳香皿と本体の上面との間で隙間を形成する突起を設けたことにより、上記空気穴から取り入れられた空気が熱源並びに遮蔽部の外周部分にて加熱されて上昇し、芳香皿と本体の上面（載置穴）との間で形成された隙間から排出されることにより、本体内に空気が留まることが無いため本体自身を加熱することがないのはもちろんのこと、芳香皿に載置された芳香用材料から発生する芳香を排出された空気によってまわり空間に拡散させることができる。
【００３３】
また、芳香皿の芳香部の内底面または外底面あるいは両面に伝熱板を設けたため、加えられた熱が伝熱板全体に広がり、芳香部に入れられた芳香用材料を均一に加熱することができるため、効率良く芳香用材料から芳香を発生する（引き出す）ことができる。
【００３４】
また、伝熱板の間に蓄熱板を介在させたことによって、熱源からの熱を蓄熱板に蓄熱し、該蓄熱された熱によって常に一定の温度を保て、さらに、熱源を消しても芳香用材料を加熱し続けることができ、電力消費を少なくできる。
【図面の簡単な説明】
【図１】本願発明の香炉を示す断面図。
【図２】芳香皿（深皿）の断面図。
【図３】本願発明の浅い芳香皿を使用した香炉を示す断面図。
【図４】芳香皿（浅皿）の断面図。
【図５】伝熱板を芳香部底面の外面に設けた状態の芳香皿の断面図。
【図６】伝熱板を芳香部底面の内面と外面の両面に設けた状態の芳香皿の断面図。
【図７】蓄熱板を挟んだ伝熱板の断面図。
【図８】蓄熱板を挟んだ伝熱板を使用した芳香皿の断面図。
【図９】本願発明の別の実施例を示す断面図。
【符号の説明】
１    香炉
２    本体
２ａ  上面
２ｂ  載置穴
２ｃ  下面
２ｅ  開口部
２ｆ  側周面
３    芳香皿
３ｂ  芳香部
３ｃ  遮蔽部
３ｇ  外面
３ｈ  内面
３ｉ  底面
４    熱源
５    受け皿
５ａ  上面
１０  伝熱板
１１  蓄熱板
【図１】
0004035838.tif 000002
【図２】
0004035838.tif 000003
【図３】
0004035838.tif 000004
【図４】
0004035838.tif 000005
【図５】
0004035838.tif 000006
【図６】
0004035838.tif 000007
【図７】
0004035838.tif 000008
【図８】
0004035838.tif 000009
【図９】
0004035838.tif 000010